(57)【要約】【課題】  ファイルシステム内のフォルダに複数の印刷対象ファイルが分散して格納された状態でも、印刷対象ファイルを意識せず、簡便な操作で一括印刷が可能な印刷対象ファイルの管理および印刷環境を提供する。【解決手段】  印刷要求属性管理部（１４）は、ファイルシステムＤＢ（１２１）にて管理される印刷対象外として管理するファイル、フォルダの識別情報を印刷要求属性管理テーブル（１２２）に登録して管理し、印刷データ作成部（１３）は、フォルダ印刷操作を操作・表示部（１８）にて検出すると、指定されたフォルダ配下のフォルダおよびファイルのうち印刷対象ファイル識別情報の抽出を印刷要求属性管理部（１４）に指示し、抽出結果に基づいて印刷処理を行う。【選択図】  図２
2005174084.tif 000002
【特許請求の範囲】
【請求項１】
複数のファイルを指定して印刷処理を行う印刷処理装置において、
前記印刷処理を行う複数のファイルを指定する印刷指定手段と、
前記印刷指定手段で指定された複数のファイルに関連して付与された印刷要求属性をそれぞれ抽出する印刷要求属性抽出手段と、
前記印刷要求属性抽出手段で抽出された印刷要求属性が印刷禁止を示すファイルを除いて印刷処理を行う印刷処理手段と
を具備することを特徴とする印刷処理装置。
【請求項２】
前記印刷指定手段は、
前記印刷処理を行う複数のファイルの指定を該複数のファイルを含むフォルダの指定により行い、
前記印刷要求属性は、
前記ファイルに対応して付与されている
ことを特徴とする請求項１記載の印刷処理装置。
【請求項３】
前記印刷指定手段は、
前記印刷処理を行う複数のファイルの指定を該複数のファイルの参照情報の指定により行い、
前記印刷要求属性は、
前記参照情報に対応して付与されている
ことを特徴とする請求項１記載の印刷処理装置。
【請求項４】
前記印刷要求属性は、
前記ファイルのページに関連して付与され、
前記印刷処理手段は、
前記印刷要求属性が印刷禁止に設定されたページを除いて印刷処理を行う
ことを特徴とする請求項１記載の印刷処理装置。
【請求項５】
複数のファイルを指定して印刷処理を行う印刷処理方法において、
前記印刷処理を行う複数のファイルを印刷指定手段により指定し、
前記印刷指定手段で指定された複数のファイルに関連して付与された印刷要求属性を印刷要求属性抽出手段によりそれぞれ抽出し、
前記印刷要求属性抽出手段で抽出された印刷要求属性が印刷禁止を示すファイルを印刷処理手段により除いて印刷処理を行う
ことを特徴とする印刷処理方法。
【請求項６】
複数のファイルを指定して印刷処理を行う印刷処理プログラムであって、
前記印刷処理を行う複数のファイルの指定を受け付けるステップと、
該受け付けた複数のファイルに関連して付与された印刷要求属性をそれぞれ抽出するステップと、
該抽出された印刷要求属性が印刷禁止を示すファイルを除いて印刷処理を行うステップと
をコンピュータに実行させる印刷処理プログラム。
【発明の詳細な説明】
【技術分野】
【０００１】
本発明は、印刷処理の対象となるファイルと、印刷処理が不要なファイルが同一フォルダ内に混在して格納した状態、および、複数フォルダに分散して管理される状態を考慮することなく、フォルダを指定した一括処理を可能にする印刷処理装置および印刷処理方法および印刷処理プログラムに関する。
【背景技術】
【０００２】
従来の製版データを操作ミスや出力ミスが生じないように管理する技術として、特許文献１記載の「デジタル製版データ管理システム」が開示されている。
【０００３】
この特許文献１の発明は、それぞれのデータファイルを相応しいフォルダに納めるよう管理し、しかもデータファイル間の関係性を考慮して管理することにより、作業ミスや出力ミスを回避することを目的とし、選択したファイルのファイル操作を要求するファイル操作手段と、管理対象範囲のフォルダとファイルの属性、状態、およびフォルダまたはファイル間の関係を記述したデータベースである仮想ファイルシステムと、これを管理する仮想ファイルシステム管理手段を備え、前記ファイル操作手段によりファイルまたはフォルダに対する操作要求が検出すると、前記仮想ファイルシステムを参照して、当該フォルダに対する当該ファイルの操作が認められるものかどうか判断し、肯定される場合のみ要求されたファイル操作を行い、前記仮想ファイルシステムの記述を更新するように構成するものである。
【０００４】
この特許文献２の発明は、ページ毎に文書管理をすることによって、印刷用紙の無駄を低減することを目的とし、文書属性テーブルに、文書内の修正ページを管理するフラグを設け、文書印刷の再は、該フラグに基づいて修正ページのみを印刷する。また、修正ページにはさらに版数をさらに追加して管理し、所定の版数以上の修正ページのみを印刷するものである。
【特許文献１】特開２００１−１９７２４４号公報。
【特許文献２】特開平０４−３５９３６４号公報。
【発明の開示】
【発明が解決しようとする課題】
【０００５】
ところで、上記特許文献１の発明の構成は、一部のファイルを修正した後に、必要なファイルのみを再度印刷する場合、ユーザは、フォルダ内の修正ファイルを意識して再印刷操作を行う必要があり、特に、仕様書等のページ数が大きく複数のファイルで構成される文書管理を行う場合は、修正したファイル名を都度確認しながら印刷操作を行わなければならないといった操作性の問題がある。
【０００６】
また、再印刷処理においては、フォルダ印刷機能によって、指定したフォルダ内のファイルを一括して印刷する機能が提供されている。
【０００７】
しかし、文書管理の都合によっては、印刷文書ファイル以外の参照用ファイル等も混在して管理される場合があるため、このようなケースにおいては、フォルダ印刷を行うと、不要なファイルまで印刷されてしまといった問題が生じる。
【０００８】
これに対して、上記特許文献２の発明は、文書ファイルの修正操作と、再印刷処理を効果的を考慮したものであるが、同一のフォルダ内にて複数のファイルを管理する場合の印刷対象ファイルの抽出処理に関しては言及されていない。
【０００９】
これにより、本発明は、印刷処理が可能なファイルと印刷処理が不要なファイルを同一フォルダ内に格納した状態でフォルダ構成、ファイルの格納場所を変更することなく、フォルダ印刷を行うことができる印刷処理装置および印刷処理方法および印刷処理プログラムを提供することを目的とする。
【課題を解決するための手段】
【００１０】
上記目的を達成するために、請求項１の発明は、複数のファイルを指定して印刷処理を行う印刷処理装置において、印刷処理を行う複数のファイルを指定する印刷指定手段と、印刷指定手段で指定された複数のファイルに関連して付与された印刷要求属性をそれぞれ抽出する印刷要求属性抽出手段と、印刷要求属性抽出手段で抽出された印刷要求属性が印刷禁止を示すファイルを除いて印刷処理を行う印刷処理手段とを具備することを特徴とする。
【００１１】
また、請求項２の発明は、請求項１記載の発明において、印刷指定手段は、印刷処理を行う複数のファイルの指定を該複数のファイルを含むフォルダの指定により行い、印刷要求属性は、ファイルに対応して付与されていることを特徴とする。
【００１２】
また、請求項３の発明は、請求項１記載の発明において、印刷指定手段は、印刷処理を行う複数のファイルの指定を該複数のファイルの参照情報の指定により行い、印刷要求属性は、参照情報に対応して付与されていることを特徴とする。
【００１３】
また、請求項４の発明は、請求項１記載の発明において、印刷要求属性は、ファイルのページに関連して付与され、印刷処理手段は、印刷要求属性が印刷禁止に設定されたページを除いて印刷処理を行うことを特徴とする。
【００１４】
また、請求項５の発明は、複数のファイルを指定して印刷処理を行う印刷処理方法において、印刷処理を行う複数のファイルを印刷指定手段により指定し、印刷指定手段で指定された複数のファイルに関連して付与された印刷要求属性を印刷要求属性抽出手段によりそれぞれ抽出し、印刷要求属性抽出手段で抽出された印刷要求属性が印刷禁止を示すファイルを印刷処理手段により除いて印刷処理を行うことを特徴とする。
【００１５】
また、請求項６の発明は、複数のファイルを指定して印刷処理を行う印刷処理プログラムであって、印刷処理を行う複数のファイルの指定を受け付けるステップと、受け付けた複数のファイルに関連して付与された印刷要求属性をそれぞれ抽出するステップと、抽出された印刷要求属性が印刷禁止を示すファイルを除いて印刷処理を行うステップとをコンピュータに実行させることを特徴とする。
【発明の効果】
【００１６】
本発明の印刷処理装置および印刷処理方法および印刷処理プログラムを適用することにより、複数の印刷対象ファイルがファイルシステム内のフォルダに分散して格納された状態でも、操作者に印刷対象ファイルを意識させず、また、印刷用フォルダ等にファイルを集める等の煩雑な操作を行うことなく一括印刷の操作を簡便化し、かつ不要なファイルの印刷処理を防止することができる。
【発明を実施するための最良の形態】
【００１７】
以下、本発明の印刷処理装置をＰＣ（Ｐｅｒｓｏｎａｌ Ｃｏｍｐｕｔｅｒ）に適用し、本発明の印刷処理方法および印刷処理プログラムを適用した実施例について添付図面を参照しながら詳細に説明する。
【００１８】
図１は、本発明に係わる印刷処理装置において、印刷対象外のファイルを指定し、フォルダ印刷を行うフォルダ印刷画面２００の例を概略的に示す画面イメージ図である。
【００１９】
図１において、フォルダ印刷画面２００は、ファイルシステムにおけるフォルダ、ディレクトリ構成を表示し、ユーザは、フォルダ印刷機能によって印刷対象ファイル２０３が格納された印刷指定フォルダ２０１を指定して印刷操作を行うものである。
【００２０】
ここで、フォルダ印刷機能とは、印刷指定フォルダ２０１に格納されたファイルを始め、印刷指定フォルダ２０１に属する下位のフォルダ（例えば、図１においては２０４、２０５、２０６のフォルダ）に格納されたファイルを一括して印刷する機能である。
【００２１】
このとき、ユーザは、事前に印刷処理が不要な印刷対象外ファイル２０２、あるいは、フォルダ内のファイルすべてを印刷しない印刷対象外フォルダ２０４を指定し、印刷対象外となるファイル、フォルダを登録して管理する。
【００２２】
また、フォルダおよびファイルに対し、印刷対象外とするか否かを設定して管理する属性を、以後「印刷要求属性」と称して説明する。
【００２３】
これにより、フォルダ印刷画面２００において、ユーザが印刷指定フォルダ２０１に対するフォルダ印刷の操作を行い、それぞれ印刷対象外ファイル２０２を除く、印刷対象ファイル２０３のみを特定して印刷を行う。
【００２４】
次に、本発明に係わる印刷処理装置をＰＣに適用した例を示して接続する。
【００２５】
図２は、ＰＣ１の主要な制御要素を概略的に示すブロック図である。
【００２６】
図２において、ＰＣ１は、ＰＣ１全体を制御するＰＣ制御部１１と、記憶部１２、印刷データ作成部１３、印刷要求属性管理部１４、ファイル・フォルダ管理部１５、通信制御部１６、入出力制御部１７が接続した構成により制御され、ネットワーク２を介して接続するプリンタ３に対する印刷制御、ファイルの管理を行う。
【００２７】
印刷データ作成部１３は、図１に示したフォルダ印刷機能と、通常の印刷機能を提供するための印刷データの生成処理と、ネットワーク２を介して接続可能なプリンタ３をネットワーク監視する。
【００２８】
ファイル・フォルダ管理部１５は、ＰＣ１のオペレーティングシステムのファイルシステムよってＰＣ１のＰＣ記憶部１２に記憶して管理されるファイルおよびフォルダを管理し、フォルダの識別情報およびファイルの格納場所を特定し、各種ファイル操作を行う。
【００２９】
印刷要求属性管理部１４は、ファイルあるいはフォルダに対して印刷要求属性を設定して管理するユーザインタフェースを操作・表示部１８に表示するユーザインタフェース出力制御、および、ユーザインタフェースにおける操作に基づいてファイル、フォルダに設定される印刷要求属性をファイル・フォルダ管理部１５にて管理される識別子にて管理する。
【００３０】
通信制御部１６は、ネットワーク２に接続されたプリンタに対する印刷データの出力制御、ネットワーク２に接続された他の装置との間における通信制御を行う。
【００３１】
入出力制御部１７は、操作・表示部１８に接続し、ユーザインタフェース画面の表示制御、操作・表示部１８におけるユーザの各種入力操作の検出制御を行う。
【００３２】
記憶部１２は、ＰＣ制御部１１を制御するための制御プログラム、システムパラメータを記憶し、特に、印刷要求属性をメンテナンスするためのプログラム、フォルダ印刷機能を提供する印刷プログラム等を記憶して管理する。
【００３３】
また、記憶部１２は、ファイルシステムにて管理されるファイルやフォルダの識別子および格納場所の情報を記録して管理するファイルシステムＤＢ（データベース）１２１、ファイルシステムＤＢ１２１にて管理されファイル、フォルダに設定された印刷要求属性を管理する印刷要求属性管理テーブル１２２を記憶して管理する。
【００３４】
図３は、印刷要求属性管理テーブル１２２の例を概略的に示したテーブルレイアウト図である。
【００３５】
印刷要求属性管理テーブル１２２は、印刷処理の対象外となるフォルダ、ファイルの区分を設定して管理するオブジェクトタイプと、オブジェクトタイプにて指定されたファイルもしくはフォルダに対応するファイルＩＤ、フォルダＩＤを、ファイルシステムＤＢ１２１にて管理される識別子を用いて登録して管理するオブジェクトＩＤで構成される。
【００３６】
また、印刷要求属性管理テーブル１２２は、ファイルもしくはフォルダの識別子を登録することで印刷要求属性が設定されたことを示し、一方、ファイルやフォルダの削除操作もしくは、印刷要求属性のメンテナンス操作によって印刷要求属性が解除されたことを、該当するファイル、フォルダのＩＤに対応するレコードの削除によって管理する。
【００３７】
次に、図２に示したＰＣ１の制御構成および図３に示した印刷要求属性管理テーブル１２２に基づいて、印刷要求属性の設定・解除を行うメンテナンス処理、および、ファイル、フォルダの印刷要求属性が設定されたファイル、フォルダを除外したフォルダ印刷処理についてそれぞれ説明する。
【００３８】
図４は、図２のＰＣ１において、フォルダ印刷時における処理対象外のファイル、処理対象外のフォルダを管理する印刷要求属性として設定、解除する処理の例を示すフローチャートである。
【００３９】
図４において、印刷要求属性のメンテナンス処理は、ＰＣ１の操作・表示部１８における図１に示す、ＰＣ１のファイル、フォルダを表示する画面において、印刷要求属性のメンテナンス操作もしくは、ファイルシステムにおけるフォルダ、ファイルの削除操作をトリガとして処理が開始される。
【００４０】
ＰＣ制御部１１は、入出力制御部１７を介して検出した操作・表示部１８における処理開始トリガの区分と、指定されたフォルダあるいはファイルの識別子を含む入力情報を印刷要求属性管理部１４に通知する。
【００４１】
印刷要求属性管理部１４は、通知された処理開始トリガの区分が「ファイル・フォルダの削除」である場合（ステップＳ１０１で「ファイル・フォルダの削除」）、あるいは、処理開始トリガの区分が「印刷要求属性のメンテナンス」である場合（ステップＳ１０１で「印刷要求属性メンテナンス」）で、かつ、印刷要求属性の区分が「解除」である場合（ステップＳ１０２で「解除」）、印刷要求属性のメンテナンス対象となるオブジェクトが、ファイル、フォルダのいずれであるかを判断する（ステップＳ１０６）。
【００４２】
メンテンナンス対象となるオブジェクトが「フォルダ」の場合（ステップＳ１０６で「フォルダ」）、印刷要求属性管理部１４は、指定されたフォルダのフォルダＩＤとオブジェクトタイプが「フォルダ」に該当する印刷要求属性管理テーブル１２２のレコードを削除する（ステップＳ１０７）。
【００４３】
一方、印刷要求属性のメンテンナンス対象となるオブジェクトが「ファイル」の場合（ステップＳ１０６で「ファイル」）、印刷要求属性管理部１４は、ステップＳ１０１で取得した処理対象ファイルのファイルＩＤをオブジェクトＩＤとし、オブジェクトタイプが「ファイル」に該当する印刷要求属性管理テーブル１２２のレコードを特定して削除する（ステップＳ１０８）。
【００４４】
再度、ステップＳ１０２の処理に戻り、処理開始トリガが「印刷要求属性のメンテナンス処理」で、かつ、印刷要求属性の「設定」操作の場合（ステップＳ１０２で「設定」）、印刷要求属性管理部１４は、印刷要求属性の設定対象となるオブジェクトの区分が「ファイル」、「フォルダ」の何れであるかを判断する（ステップＳ１０３）。
【００４５】
設定対象オブジェクトが「ファイル」の場合（ステップＳ１０３で「ファイル」）、印刷要求属性管理部１４は、ステップＳ１０１で検出したファイルＩＤをオブジェクトＩＤとし、オブジェクト区分を「ファイル」とするレコードを印刷要求属性管理テーブル１２２に登録する（ステップＳ１０４）。
【００４６】
一方、設定対象オブジェクトが「フォルダ」の場合（ステップＳ１０３で「フォルダ」）、印刷要求属性管理部１４は、ステップＳ１０１で検出したフォルダＩＤをオブジェクトＩＤとし、オブジェクト区分を「フォルダ」とするレコードを印刷要求属性管理テーブル１２２に登録する（ステップＳ１０５）。
【００４７】
なお、ステップＳ１０１にて検出されるファイル、フォルダの削除操作、あるいは、印刷要求属性のメンテナンス処理において、図４に示したフローチャートにおいては、単一のオブジェクトに対する処理を検出した時の例であるが、複数のオブジェクトを一度に指定して処理される場合においては、図４に示した処理の内容をオブジェクト毎に繰り返して実施する構成にしてもよい。
【００４８】
次に、ＰＣ１における印刷操作のうち特に図１に示したフォルダ印刷の処理手順について、図２のブロック図に示した各制御部の符号を使用し、図５のフローチャートに基づいて説明する。
【００４９】
図５において、入出力制御部１７は、ＰＣ１の操作・表示部１８に表示したフォルダ印刷画面２００におけるフォルダ印刷の操作を検出し操作内容をＰＣ制御部１１に通知する。そして、ＰＣ制御部１１は、フォルダ印刷要求の入力データを印刷データ作成部１３に通知すると共に、フォルダ印刷処理を指示する。印刷データ作成部１３は、フォルダ印刷要求の入力データからフォルダ印刷を指示した印刷指定フォルダ２０１の識別子を取得する（ステップＳ２０１）。
【００５０】
印刷データ作成部１３は、ステップＳ２０１にて特定した印刷指定フォルダ２０１の識別子を印刷要求属性管理部１４に通知し、印刷指定フォルダ２０１に対する印刷要求属性の設定の有無を判断するよう指示する（ステップＳ２０２）。
【００５１】
印刷要求属性管理部１４による印刷要求属性管理テーブル１２２の検索の結果、印刷指定フォルダ２０１に印刷要求属性が設定されていた場合（ステップＳ２０２でＹＥＳ）、印刷データ作成部１３は、フォルダとファイルの何れの印刷要求属性を優先して適用するかを記憶部１２に記憶したシステムパラメータ（図示せず）から取得して判定する（ステップＳ２０３）。
【００５２】
ファイルに設定された印刷要求属性を優先する場合（ステップＳ２０３でＹＥＳ）、印刷データ作成部１３は、フォルダに設定された印刷要求属性を無視し、フォルダ内の各ファイルに設定された印刷要求属性に基づいて印刷対象にするかを判断するために、印刷指定フォルダ２０１内の各ファイルのファイルＩＤを順次取得する（ステップＳ２０４）。
【００５３】
印刷データ作成部１３は、印刷要求属性管理部１４に対して、処理対象ファイルに印刷要求属性が設定されているか否かを問い合わせる（ステップＳ２０５）。
【００５４】
処理対象ファイルに印刷要求属性が設定されていない場合（ステップＳ２０５でＮＯ）、印刷データ作成部１３は、印刷対象リストに処理対象ファイルのファイルＩＤを設定する（ステップＳ２０６）。
【００５５】
一方、ステップＳ２０５の処理において、処理対象ファイルに印刷要求属性が設定されている場合（ステップＳ２０５でＹＥＳ）、ステップＳ２０６の処理をもしくはステップＳ２０６の処理が完了すると、印刷データ作成部１３は、フォルダ内で印刷要求属性の判別処理が行われていないファイルの有無を判断する（ステップＳ２０７）。
【００５６】
同一フォルダ内に未処理のファイルがある場合（ステップＳ２０７でＹＥＳ）、印刷データ作成部１３は、ステップＳ２０４の処理に戻り、フォルダ内における未処理ファイルのファイルＩＤを取得する（ステップＳ２０４）。
【００５７】
一方、同一フォルダ内の全てのファイルに対する印刷要求属性の判別処理が完了した場合（ステップＳ２０７でＮＯ）、印刷データ作成部１３は、フォルダ印刷が指示された印刷指定フォルダ２０１配下に属するフォルダで、かつ未処理のフォルダの有無を判別する（ステップＳ２０８）。
【００５８】
印刷指定フォルダ２０１配下に属するフォルダで未処理のフォルダがある場合（ステップＳ２０８でＹＥＳ）、印刷データ作成部１３は、印刷指定フォルダ配下に属する未処理のフォルダＩＤを取得し（ステップＳ２１０）、再度ステップＳ２０２に戻り、処理対象フォルダに対して印刷要求属性の設定の有無を判断する。
【００５９】
一方、印刷指定フォルダ２０１配下に属する全てのフォルダおよびファイルに対する印刷要求属性の判別処理が完了し、印刷対象ファイルのファイルＩＤのリストアップが完了すると（ステップＳ２０８でＮＯ）、印刷データ作成部１３は、印刷対象リストに登録されたファイルに対して、ファイルの印刷処理を行う（ステップＳ２０９）。
【００６０】
以上が、ＰＣ１におけるファイルおよびフォルダに設定された印刷要求属性を考慮したフォルダ印刷処理の例である。
【００６１】
以上が本発明における印刷処理装置および印刷処理方法および印刷処理プログラムをＰＣに適用した一実施の形態の説明である。
【００６２】
なお、上記実施例においては、印刷要求属性を管理するオブジェクトの最少単位がファイルである構成を示したものであるが、これ以外に、ページ単位で印刷要求属性を管理するテーブルをＰＣ記憶部１２に追加し、印刷要求属性管理部１４がページ単位での印刷要求属性管理し、ファイル印刷時においては、印刷データ作成部１３がページ毎の印刷要求属性を判断して印刷対象ページのみを印刷する構成にしてもよい。
【００６３】
また、図２示した構成以外に、ネットワーク上にファイルサーバを追加してネットワークファイルシステム等で管理されるネットワーク共有ファイルあるいはネットワーク共有フォルダに対する印刷要求属性を管理する構成を追加し、クライアント端末から、プリントサーバに図５に示したフォルダ印刷処理を指示する構成にてして印刷処理を行う構成にしてもよい。
【産業上の利用可能性】
【００６４】
本発明の印刷処理装置および印刷処理方法および印刷処理プログラムは、複数のファイルの同時印刷を行う印刷システムに有効であり、特に、ファイルシステムにおいて、印刷対象ファイルが複数のフォルダに分散して存在し、なおかつ、印刷対象ファイルが印刷を禁止したファイルと同一のフォルダに格納された状態で管理されている場合において、特に、有効に利用することができる。
【図面の簡単な説明】
【００６５】
【図１】本発明に係わる印刷処理装置において、印刷処理の対象外とするファイルを印刷要求属性として設定して管理し、また、フォルダ印刷によって一括印刷処理を行うためのフォルダ印刷画面２００の例を概略的に示す画面イメージ図である。
【図２】本発明に係わる印刷処理装置をＰＣに適用した場合の主要な制御要素を示すブロック図である。
【図３】図２に示した印刷要求属性管理テーブルの例を示すテーブルレイアウト図である。
【図４】図２に示したＰＣにおいて、ファイルやフォルダの削除操作、および印刷要求属性の設定画面における印刷要求属性のメンテナンス処理を示すフローチャートである。
【図５】図２に示したＰＣにおけるフォルダ印刷処理の例を示すフローチャートである。
【符号の説明】
【００６６】
１    ＰＣ
１１    ＰＣ制御部
１２    記憶部
１２１    ファイルシステムＤＢ
１２２    印刷要求属性管理テーブル
１３    印刷データ作成部
１４    印刷対象外ファイル・フォルダ管理部
１５    ファイル・フォルダ管理部
１６    通信制御部
１７    入出力制御部
１８    操作・表示部
２    ネットワーク
３    プリンタ
２００    フォルダ印刷画面
２０１    印刷指定フォルダ
２０２    印刷対象外ファイル
２０３    印刷対象ファイル
２０４    印刷対象外フォルダ
【図１】
2005174084.tif 000003
【図２】
2005174084.tif 000004
【図３】
2005174084.tif 000005
【図４】
2005174084.tif 000006
【図５】
2005174084.tif 000007